(57)【要約】【課題】燃料電池を用いて充分な容量の電力が得られ、しかもエネルギーの補給を簡便に行うことができる、また、電源が常時ＯＮの状態で使用される携帯機器にも安定して電力を供給できる小型大容量の携帯機器用電源システムを提供する。【解決手段】携帯機器１に搭載されて携帯機器を駆動する電力を発生する再生可能な電源本体部２と、電源本体部の再生時に電源本体部と接続して電源本体部にエネルギーを供給するエネルギー補給装置３とからなる携帯機器用電源システムであって、電源本体部は、携帯機器を駆動する電力を発生する固体高分子型の燃料電池４と、燃料電池に水素を供給する水素貯蔵容器７とを備え、エネルギー補給装置は、水素貯蔵容器と脱着可能に接続されて水素貯蔵容器に供給する水素を発生する水素発生手段２２を備えた。【選択図】        図１
2004241212.tif 000002
【特許請求の範囲】
【請求項１】
携帯機器に搭載されて前記携帯機器を駆動する電力を発生する再生可能な電源本体部と、前記電源本体部の再生時に電源本体部と接続して電源本体部にエネルギーを供給するエネルギー補給装置とからなる携帯機器用電源システムであって、
前記電源本体部は、前記携帯機器を駆動する電力を発生する固体高分子型の燃料電池と、前記燃料電池に水素を供給する水素貯蔵容器とを備え、
前記エネルギー補給装置は、前記水素貯蔵容器と脱着可能に接続されて前記水素貯蔵容器に供給する水素を発生する水素発生手段を備えたことを特徴とする携帯機器用電源システム。
【請求項２】
前記水素貯蔵容器内に水素吸蔵合金が充填されていることを特徴とする請求項１記載の携帯機器用電源システム。
【請求項３】
前記水素発生手段が水電解装置であることを特徴とする請求項１記載の携帯機器用電源システム。
【請求項４】
前記電源本体部は、前記燃料電池の出力に並列に接続され、前記携帯機器を駆動可能な電力を発生する二次電池またはキャパシタを備えたことを特徴とする請求項１記載の携帯機器用電源システム。
【請求項５】
前記エネルギー補給装置は、前記二次電池またはキャパシタと脱着可能に接続されて前記二次電池またはキャパシタを充電する充電用直流電源を備えたことを特徴とする請求項４記載の携帯機器用電源システム。
【発明の詳細な説明】
【０００１】
【発明の属する技術分野】
この発明は、携帯電話やノート型ＰＣ（パーソナルコンピュータ）などの携帯機器に用いられる電源システムに関するものである。
【０００２】
【従来の技術】
携帯電話やノート型ＰＣなどの携帯機器の電源としては、良く知られているように、ニッケル水素二次電池やリチウムイオン二次電池などの二次電池と充電アダプターとから成る電源システムが広く用いられている。
近年、携帯機器の高機能化に伴う消費電力の増大、携帯電話のインターネット接続、無線ＬＡＮや地上波ディジタルテレビ放送などの普及による携帯機器の常時使用、駆動時間の長時間化から、従来の二次電池では容量が不足し、携帯機器の機能を充分に発揮できない恐れが出てきている。このような状況に対して、水素と空気を用いて発電する超小型の燃料電池を用いた電源システムが提案されている。
【０００３】
従来の燃料電池を用いた電源システムの例として、機器搭載用燃料電池装置では、パーソナルコンピュータ等の可搬用機器に搭載して用いられる燃料電池装置であって、燃料電池本体と、この燃料電池本体に必要な水素を吸蔵する水素吸蔵ボンベと、この水素吸蔵ボンベからの水素の流動を制御し、上記燃料電池本体における燃料電池の作動を制御する制御部と、上記水素吸蔵ボンベと燃料電池本体とを連結し、水素を水素吸蔵ボンベから燃料電池本体に供給する水素供給手段と、上記燃料電池本体に燃料電池の発電に必要な酸素を供給するための空気を供給する送気手段と、上記燃料電池本体で生成される水を回収して保水する保水手段と、上記回収した水を用いて燃料電池本体に供給する水素を加湿する加湿手段と、これらを収納するとともに、可搬用機器に機械的、かつ電気的に着脱可能に結合する電池装置ケースとを有し、上記電池装置ケースには、上記送気手段の吸気口ならびに排気口と水素吸蔵ボンベを出し入れできる手段を有し、かつ前記水素供給手段は、水素吸蔵ボンベと着脱可能な構成としている（例えば、特許文献１参照）。
また、燃料電池起動時に送風手段である空気ブロアの始動を補助して起動直後の発電特性を改善したり、発電停止期間における水素漏れなどの緊急時の対応用に補助電池を燃料電池ケースに内蔵した例も示されている（例えば、特許文献１参照）。
【０００４】
上記のような機器搭載用燃料電池装置を搭載した可搬用機器（携帯機器）は、燃料電池装置が水素貯蔵容器の水素と空気中の酸素から発電した電力を得て駆動される。燃料電池による発電容量は二次電池の数倍から数十倍と言われており、携帯機器の高機能化、長時間駆動が可能となる。
このように、水素燃料を用いることにより二次電池に比べ大容量な、繰返し使用可能な電源システムが可能になる。
【０００５】
【特許文献１】
特開平０９−２１３３５９号公報（第２−５頁、第１〜２０図）
【０００６】
【発明が解決しようとする課題】
しかしながら、上記従来例では、水素吸蔵ボンベの水素が全て消費された場合のエネルギー補給手段として、水素吸蔵ボンベに水素を充填するか、燃料電池ケースから水素吸蔵ボンベを取り出して水素を充填済みのボンベに交換すると記載されている。水素吸蔵ボンベに水素を充填するためには水素を購入しなければならず、水素を購入しても高圧ボンベの形で運搬しなければならない。しかも、水素は可燃性気体であるため水素吸蔵ボンベへの水素充填も慎重にする必要がある。また、燃料電池ケースから水素吸蔵ボンベを取り出して水素を充填済みのボンベに交換する場合には、使用済みのボンベを取扱い店に持参して回収あるいは新たに水素を充填してもらわなければならず、面倒である。
【０００７】
また、水素などを燃料とした燃料電池電源システムでは、酸素の供給が無くなると発電が停止してしまう。現状でも携帯電話は電源を常時入れておくのが通常の使い方であり、電源がＯＮ状態のままでポケットや鞄に入れて持ち運んでいる。また、無線ＬＡＮなどが普及すればノート型ＰＣなども電源が常時ＯＮの状態で使われる状況になると思われる。上記で説明したような水素を燃料とした電源システムを用いた携帯機器の場合、電源を入れっぱなしでポケットや鞄などの通気性の悪い場所に置いておくと、酸素が欠乏し発電が停止してしまうという問題があった。
【０００８】
本発明は、燃料電池を用いて充分な容量の電力が得られ、しかもエネルギーの補給を簡便に行うことができる小型大容量の携帯機器用電源システムを提供することを第１の目的とする。
また、酸素が欠乏した状態でも携帯機器を駆動する電力を発生することができ、電源が常時ＯＮの状態で使用される携帯機器にも安定して電力を供給できる携帯機器用電源システムを提供することをの第２の目的とする。
【０００９】
【課題を解決するための手段】
本発明に係わる携帯機器用電源システムは、携帯機器に搭載されて前記携帯機器を駆動する電力を発生する再生可能な電源本体部と、前記電源本体部の再生時に電源本体部と接続して電源本体部にエネルギーを供給するエネルギー補給装置とからなる携帯機器用電源システムであって、前記電源本体部は、前記携帯機器を駆動する電力を発生する固体高分子型の燃料電池と、前記燃料電池に水素を供給する水素貯蔵容器とを備え、前記エネルギー補給装置は、前記水素貯蔵容器と脱着可能に接続されて前記水素貯蔵容器に供給する水素を発生する水素発生手段を備えたものである。
【００１０】
【発明の実施の形態】
実施の形態１．
図１は、この発明を実施するための実施の形態１による携帯機器用電源システムおよび携帯機器を説明するための全体構成図である。
携帯機器１（例えばノート型ＰＣ）には、携帯機器１を駆動する電力を発生する電源本体部２が搭載（本実施の形態では携帯機器１の内部に収容）されている。
電源本体部２は、携帯機器１を駆動する電力を発生する固体高分子型の燃料電池４と、燃料電池４に水素を供給する水素貯蔵容器７と、燃料電池４の出力に並列に接続され、携帯機器１を駆動する電力を発生する二次電池１６とを備えている。
【００１１】
燃料電池４は、図２に断面図で示すように、イオン伝導性固体高分子膜８およびイオン導電性固体高分子膜８の両側に形成された触媒電極９ａ、９ｂからなる膜・電極接合体１０と、膜・電極接合体１０の一方の面（図２では触媒電極９ａ側の面）が内側に向く面となる気密室１１と、気密室１１側の触媒電極９ａに電気的に接続されたマイナス出力端子５ａと、他方の触媒電極９ｂに接続されたプラス出力端子５ａとから成る電池セルを備えている。また、５０は出力端子支持部材である。
【００１２】
燃料電池４の気密室１１と水素貯蔵容器７とは導管６で連結（連通）され、水素貯蔵容器７から気密室１１に水素が供給される。
水素貯蔵容器７には、水素貯蔵容器７に水素を充填するための充填孔１２が設けられており、充填孔１２は、通常時は閉状態である。水素貯蔵容器７内には水素吸蔵合金が充填されている。電源本体部２および携帯機器１の筐体には、触媒電極９ｂに空気が供給できるように、必要に応じて通気孔（図示せず）が設けられている。
【００１３】
燃料電池（電池セル）４の出力端子５は、電源本体部２の出力端子１３に電気的に接続されており、出力端子１３は携帯機器１の電気回路１４の電源入力端子１５に電気的に接続されている。
二次電池１６の端子１７は、燃料電池（電池セル）４の出力端子５と並列に接続されている。二次電池１６としては、ニッケル水素二次電池やリチウムイオン二次電池などが用いられる。
また、電源本体部２は、二次電池１６の充電制御回路１８を備えており、充電制御回路１８には、二次電池１６の端子１７に接続される出力端子１９と、充電用入力端子２０とが設けられている。
【００１４】
本実施の形態では、電源本体部２は、燃料電池４、水素貯蔵容器７、二次電池１６、および充電制御回路８を一体的に収納するケース（図１中、破線で示す。
）を備えており、充填孔１２、出力端子１３、および充電用入力端子２０はこのケースに固定して設けられている。
【００１５】
電源本体部２の再生時に電源本体部２と接続し、電源本体部２にエネルギーを供給するエネルギー補給装置３は、水素貯蔵容器７と脱着可能に接続されて水素貯蔵容器７に供給する水素を発生する水素発生手段（本実施の形態では水電解装置）２２と、水電解用直流電源２４と、二次電池１６と脱着可能に接続されて二次電池１６を充電する充電用直流電源２６とを備えている。
【００１６】
エネルギー補給装置３の供給孔２１は、電源本体部２の充填孔１２と脱着可能に構成されており、水素発生手段である水電解装置２２の水素発生側と導管２３で接続されている。電源本体部２の充填孔１２とエネルギー補給装置３の供給孔２１とは一般的な導管接続用のワンタッチコネクタであり、接続時は導通（連通）状態となり、外したときは閉状態となるように構成されている。水電解装置２２には水電解用直流電源２４の出力が接続されている。
【００１７】
また、エネルギー補給装置３の充電用出力端子２５は、電源本体部２の充電用入力端子２０と脱着可能に構成されており、充電用出力端子２５には充電用直流電源２６の出力が接続されている。充電用入力端子２０と充電用出力端子２５とは一般的な電気的接続コネクタであり、脱着可能に構成されている。
【００１８】
本実施の形態では、エネルギー補給装置３は、水電解装置２２、水電解用直流電源２４、および充電用直流電源２６を一体的に収納するケース３００を備えており、供給孔２１、充電用出力端子２５、および商用電源入力端子２７はこのケース３００に固定して設けられている。
【００１９】
エネルギー補給装置３を図１中矢印の方向に移動させて、または電源本体部２を図１中矢印と逆の方向に移動させて、電源本体部２とエネルギー補給装置３とを接続することで、電源本体部２の充填孔１２とエネルギー補給装置３の供給孔２１、および電源本体部２の充電用入力端子２０とエネルギー補給装置３の充電用出力端子２５が、それぞれ接続される。各直流電源２４、２５は商用電源入力端子２７から電力を供給される。また、図示していないが、水電解装置２２および直流電源２４、２６の制御装置を備えている。
【００２０】
次に動作について説明する。水素貯蔵容器７内の水素圧力は内部の水素吸蔵合金の水素平衡圧力に保たれており、水素貯蔵容器７と導管６で連結（連通）されている燃料電池（電池セル）４の気密室１１も同圧力の水素で満たされる。水素吸蔵合金は低圧力で大量の水素を貯蔵できるため、携帯機器など小型軽量な電源が必要な用途には水素貯蔵容器７の小型軽量化が図られ有用である。
触媒電極９ａでは水素が水素イオンとなり、この水素イオンはイオン伝導性固体高分子膜８を通って触媒電極９ｂに達し、触媒電極９ｂで空気中の酸素と反応して電力を発生する。発生した電力は電源本体部２の出力端子１３から携帯機器１の電気回路１４の電源入力端子１５に至り、携帯機器１を駆動する。
電力を発生するにつれて気密室１１の水素は消費されるが、気密室１１は、水素貯蔵容器７と導管６で連通されているので水素吸蔵合金の平衡圧力に保たれ、すなわち水素吸蔵合金から水素が供給され、発電が継続される。触媒電極９ｂ側では携帯機器１の外部と通気性が保たれており、発電に必要な酸素は外部から取り入れられる。
【００２１】
携帯機器１を、電源を入れたままで鞄など通気性の悪い状態に置くと、燃料電池（電池セル）４の発電につれて空気中の酸素が消費され、携帯機器１が置かれた空間内の酸素が欠乏して燃料電池（電池セル）４の出力が低下する。
しかしながら、本実施の形態では、燃料電池（電池セル）４の出力は二次電池１６に並列接続されているので、電源本体部１の出力端子１３の電圧は二次電池１６の出力電圧に維持され、燃料電池（電池セル）４の出力低下分の電力が二次電池１６で補償され、携帯機器１が必要とする電力が電源本体部２から携帯機器１の電気回路１４に供給される。
【００２２】
このように、本実施の形態では、二次電池１６は、燃料電池の出力に並列に接続され、しかも携帯機器１を駆動可能な出力を持つように選定されているので、酸素欠乏のために燃料電池（電池セル）４の発電出力が全く無くなっても携帯機器１は動作し続ける。携帯機器１を開放空間に戻せば、酸素供給が元に戻り、燃料電池（電池セル）４の発電が再開される。このときに燃料電池（電池セル）４で発電された電力は二次電池１６の充電にも使われる。
【００２３】
水素貯蔵容器７内の水素吸蔵合金が水素を放出しきった場合、二次電池１６のエネルギー（電力）が残っていれば、二次電池１６で携帯機器１は駆動される。
水素貯蔵容器７の水素も二次電池１６の電力も使い切った場合は、エネルギー補給装置３により、電源本体部２にエネルギー補給を行う。
エネルギー補給に際し、電源本体部２の充填孔１２にエネルギー補給装置３の供給孔２１を接続し、電源本体部２の充電用入力端子２０にエネルギー補給装置３の充電用出力端子２５を接続する。これはエネルギー補給装置３を図１中矢印の方向に移動させて、または電源本体部２を図１中矢印と逆の方向に移動させて、電源本体部２とエネルギー補給装置３とを接続することで同時に行える。
【００２４】
水電解装置２２の水電解槽に水を入れた状態でエネルギー補給装置３の商用電源入力端子２７を商用電源に接続し、水電解用直流電源２４により水電解装置２２を作動させ、発生した水素を導管２３を通し供給孔２１と充填孔１２の接続部を介して、水素貯蔵容器７に導き、内部の水素吸蔵合金に水素を吸蔵させる。
同時に、充電用直流電源２６を作動させ、充電用出力端子２５、充電用入力端子２０、充電制御回路１８を介して二次電池１６の充電を行う。このように、水素補給時には、携帯機器使用時（エネルギー補給装置３と接続されていない状態）のように燃料電池（電池セル）４で水素を消費して発電した電力で二次電池１６を充電するのではなく、二次電池１６を、外部電源である充電用直流電源２６を用いて充電するので、一旦水素貯蔵容器７に充填した水素を、二次電池１６を充電するために使う必要が無く、水素貯蔵容器７に貯蔵した水素を有効に利用できるので電源本体部１の大容量化が図れる。
電源本体部２へのエネルギーの補給、すなわち水素貯蔵容器７の水素充填および二次電池１６の充電、が終了すれば、エネルギー補給装置３と電源本体部２を切り離す。電源本体部２は再生されて携帯機器１に電力を供給することが可能となり、携帯機器１を使用することができる。
【００２５】
以上説明したように、本実施の形態では、水素発生手段として水電解装置を用いているので、水を電気分解するだけで水素が手軽に得られ、水と電源さえあれば水素を補給できるという利点がある。
【００２６】
また、水素貯蔵容器７に水素吸蔵合金を充填しているので、水素貯蔵に高い圧力を必要とせず、耐圧の低い水素貯蔵容器を用いることができ、電源本体部２を小型軽量とすることができる。しかも水素補給時に高い圧力の水素を必要としないので、簡便で安全にエネルギーが補給できると共にエネルギー補給装置３の小形化に有利である。
エネルギー補給装置３を小形化して携帯可能に構成することにより、より使い勝手が向上する。
【００２７】
また、電源本体部２は、燃料電池４の出力に並列に接続され、携帯機器１を駆動可能な電力を発生する二次電池１６を備えたので、酸素が欠乏した状態でも携帯機器１を駆動する電力を発生することができ、電源が常時ＯＮの状態で使用される携帯機器１にも安定して電力を供給できる小型大容量の携帯機器用電源システムが得られる。
【００２８】
また、エネルギー補給装置３は、二次電池１６と脱着可能に接続されて二次電池１６を充電する充電用直流電源を備えたので、水素貯蔵容器７への水素の補給と同時に二次電池１６を充電することができ、携帯機器使用時とは違いエネルギー補給時には燃料電池（電池セル）４を用いて二次電池１６を充電する必要が無く、水素貯蔵容器７に貯蔵した水素を有効に利用できるので電源本体部１の大容量化が図れる。
また、本実施の形態では、充填孔１２と充電用入力端子２０とを電源本体部２に固定し、供給孔２１と充電用出力端子２５とをエネルギー補給装置３に固定しているので、電源本体部２の充填孔１２とエネルギー補給装置３の供給孔２１との接続と、電源本体部２の充電用入力端子２０とエネルギー補給装置３の充電用出力端子２５との接続を１つの動作で行うことができ、簡便にエネルギーを補給することができる。
【００２９】
また、上記のような携帯機器用電源システムで携帯機器を駆動するようにすることにより、長時間駆動ができ使い勝手の良い携帯機器が得られる。
【００３０】
なお、図２では単セル構造の燃料電池４を示したが、必要電圧に応じ複数の単セルを直列に接続してもよい。
【００３１】
また、燃料電池（電池セル）４と水素貯蔵容器７とは導管６で連結されているが水素貯蔵容器７の水素が燃料電池（電池セル）４の気密室１１に供給できれば、導管でなくてもよい。さらに、燃料電池（電池セル）４と水素貯蔵容器７の間に遮蔽弁や圧力調整弁を設けてもよい。
【００３２】
また、充填孔１２は水素貯蔵容器７に設けず、電源本体部２または携帯機器１の筐体に設け、水素貯蔵容器７と導管等で連通してもよい。
【００３３】
また、上記実施の形態で必要に応じて、燃料電池（電池セル）４および二次電池１６の出力端子５、１７と電源本体部２の出力端子１３との間に保護制御回路を設けてもよい。
また、エネルギー補給装置３の水素発生手段である水電解装置３と供給孔２１の間に遮断弁や流量調整装置を設けてもよく、また発生した水素を貯めておくタンクを設けてもよい。
【００３４】
また、エネルギー補給時は、電源本体部２を携帯機器１に収納したままエネルギー補給装置３に接続してもよいし、電源本体部２を携帯機器１から取り外して電源本体部２だけをエネルギー供給装置３に接続してもよい。
また、エネルギー補給時には、水素貯蔵容器７への水素の補給のみを行ってもよいし、二次電池１６への充電のみを行ってもよい。
【００３５】
また、供給孔２１と充電用出力端子２５をエネルギー補給装置３の筐体３００に直接固定しているが、可撓性の導管および電線の先端部にそれぞれ供給孔２１および充電用出力端子２５を設けてもよい。
【００３６】
なお、二次電池１６の代わりにキャパシタであってもよく、キャパシタとしては、通常のコンデンサや電気二重層コンデンサなどが用いられる。
【００３７】
また、図１では、電源本体部２は携帯機器１の内部に収容されているが、携帯機器１の外部に搭載されてもよい。
【００３８】
また、電源本体部２の構成要素である燃料電池４、水素貯蔵容器７、二次電池１６、および充電制御回路８を一体的にケースに収納しているが、各構成要素を個別に携帯機器１内に収納してもよい。
【００３９】
また、携帯機器の例として、ノート型ＰＣを示したが、これに限るものではなく、本発明による携帯機器用電源システムは、携帯電話、携帯情報端末、携帯通信機器、携帯オーディオ機器、ディジタルカメラ、ビデオカメラなど、さらには、ポータブルなプリンターやファクス、扇風機、保温保冷庫、アイロン、ポット、掃除機、炊飯器、電磁調理器、照明器具、ゲーム機やラジコンカーなどの玩具、電動工具など様々な携帯機器に使用でき、充分な容量の電力が得られ、しかもエネルギーの補給を簡便に行うことができる。特に、燃料電池の出力に並列に接続され、携帯機器を駆動可能な電力を発生する二次電池またはキャパシタを備えた場合には、電源が常時ＯＮの状態で使用される携帯機器にも安定して電力を供給でき安心して適用できる。
【００４０】
【発明の効果】
以上のように、この発明によれば、携帯機器に搭載されて前記携帯機器を駆動する電力を発生する再生可能な電源本体部と、前記電源本体部の再生時に電源本体部と接続して電源本体部にエネルギーを供給するエネルギー補給装置とからなる携帯機器用電源システムであって、前記電源本体部は、前記携帯機器を駆動する電力を発生する固体高分子型の燃料電池と、前記燃料電池に水素を供給する水素貯蔵容器とを備え、前記エネルギー補給装置は、前記水素貯蔵容器と脱着可能に接続されて前記水素貯蔵容器に供給する水素を発生する水素発生手段を備えたので、充分な容量の電力が得られ、しかもエネルギーの補給を簡便に行うことができる小型大容量の携帯機器用電源システムが得られる効果がある。
【図面の簡単な説明】
【図１】本発明の実施の形態１による携帯機器用電源システムを説明するための全体構成図である。
【図２】図１の燃料電池（電池セル）を示す断面図である。
【符号の説明】
１  携帯機器、２  電源本体部、３  エネルギー補給装置、４  燃料電池（電池セル）、５，５ａ，５ｂ  出力端子、７  水素貯蔵容器、８  イオン伝導性固体高分子膜、９ａ，９ｂ  触媒電極、１０  膜・電極接合体、１１  気密室、１２  充填孔、１６  二次電池（またはキャパシタ）、２０  充電用入力端子、２１  供給孔、２２  水電解装置（水素発生手段）、２３  導管、２５  充電用出力端子。
【図１】
2004241212.tif 000003
【図２】
2004241212.tif 000004